(57)【要約】【課題】空気の流れを細かく制御して効率の良い風を作り出す。【解決手段】空気を動かすのに、それぞれが独立に制御可能な駆動部を持った複数台のファンで構成し、個々のファンを平面または曲面に配置し、各々のファンの向き、回転数、回転方向を制御する事で、ファンアレイ装置として所望の風の流れを生成する。【選択図】図１
2020060151.tif 000002
【特許請求の範囲】
【請求項１】
平面あるいは曲面状に配置した複数の個々に駆動部を持って風を作り出すファンを具備し、個々のファン形状、大きさ、回転速度、回転方向から生成される複数の風の相互作用や風の特性を加味して合成させ、所望とする風の流れを生成する事を特徴としたファンアレイ装置。
【請求項２】
平面あるいは曲面状に配置した複数の個々に駆動部を持って風を作り出すファンと、前記複数のファンの回転速度、回転方向を統合的に個々に制御する回転制御部と、前記複数の個々のファンに上記統合的に制御する情報を伝達する制御線を具備し、前記個々のファン形状、大きさ、回転速度、回転方向から生成される複数の風の相互作用や風の特性を加味して合成させ、所望とする風の流れを生成するファンアレイ装置において、上述の回転制御部と制御線により、前記複数の個々のファンから生成される風を電気的に制御する機能を具備した、請求項１のファンアレイ装置。
【請求項３】
平面あるいは曲面状に配置した複数の個々に駆動部を持って風を作り出すファンを具備した請求項１のファンアレイ装置を、風が隅々まで届く程度の閉空間に設置し、前記ファンアレイから部屋の全方位に向けて風を吹き出す際、上記ファンアレイ装置が空気を吸い込む口を一か所にする事で、部屋全体の空気が前記一か所に集まる事を利用した、空気清浄機、乾燥機、除湿器あるいは掃除機を実現する事を特徴としたファンアレイ装置。
【発明の詳細な説明】
【技術分野】
【０００１】
本発明は、複数の送風または排気ファン（以後ファンと記す）を総合的に動作させる事で、空気を様々な流れとして生成させるものである。
【背景技術】
【０００２】
従来、空気の流れを作る為には、一つの動力源で一つのファンを回転させて扇風機、換気扇、サーキュレーター等を構成するので単純な空気の流れしかできなかった。
【発明の概要】
【発明が解決しようとする課題】
【０００３】
空気の流れを人工的に作り出す事は、様々な生活空間あるいは産業空間の中で多くの目的で必要となる。例えば扇風機は一つの駆動源（モーター）によりファンを回転させる事で前面に空気の流れを作りだして涼を取る為に利用される。また、換気扇も一つのファンを駆動させる事で、室内の汚れた空気を吸い込み、屋外に排気する為に利用される。  しかし、これらの一つのファンだけを駆動させる事によって作り出される風は、細かく空気の流れを制御する事はできない。その為、一般的な扇風機であれば渦を巻いた捻じれた風になり、ファンの前面だけに筒状、あるいはスカート状の風の流れを作るしかなかった。  また、換気扇であれば、ファンの吸込み口の間近にある空気だけを排気する為、部屋全体を換気するには非常に効率が悪いという問題があり、本発明は、空気の流れをより細かく制御する事ができる装置を提供するものである。
【課題を解決するための手段】
【０００４】
空気を動かす為に、それぞれが独立に制御可能な駆動部を持った複数台のファンで構成し、個々にファンの向き、回転数、回転方向を制御に従い動作させる事と、それら全てを統合的に動作させる事で、ファンアレイとして所望の風の流れを生成するものである。
【発明の効果】
【０００５】
複数のファンを協同で統合的に駆動する事で、風の流れが細かく制御可能となる為、扇風機であれば渦の無い自然に近い風を生成する事ができる。更に複数のファンの配置を工夫する際、従来の扇風機の形にとらわれない大きな方形板状、円筒状、半円筒状、球状、半球状にも作る事が可能となり、個々のファンを協同で統合的に駆動する事で、単なる風の発生装置としてだけでなく、集塵機、掃除機、サーキュレーター、乾燥機等の機能拡張も可能となる。また、換気扇であれば単に空気を吸い込むだけでなく、吸い込む範囲を考慮して空気を吐き出す事を同時に行う事で、空気が流れる循環を作り出す様にするので、吸い込む範囲を拡大させ、効率的な換気が可能となる。
【図面の簡単な説明】
【０００６】
【図１】本発明のファンアレイの一実施例としての基本構成を示す配置図である。
【図２】本発明のファンアレイの２つ目の実施例としての基本構成を示す配置図である。
【図３】本発明のファンアレイの一つの応用例である。
【図４】本発明のファンアレイの２つ目の応用例である。
【図５】本発明のファンアレイの３つ目の応用例である。
【図６】本発明のファンアレイの４つ目の応用例である。尚、図１〜図６は、ファンの配置による動作を説明している為、ファンの駆動部や支持構造部は省略して記載している。
【発明を実施するための形態】
【０００７】
図１の１は時計回りに回転する事で図の前面に向けて空気を動かすファン、２は反時計回りに回転する事で図の前面に向けて空気を動かすファン、３は時計回りの回転方向、４は反時計回りの回転方向、５はそれぞれのファンの回転速度や回転の向きを個々に制御する回転制御部、６は回転制御部からの制御情報をそれぞれのファンに伝える制御線をそれぞれ示す。
【０００８】
この動作としては、４つのファンを２×２の平面として配置し、図１の様に４つのファンが３及び４の回転方向に同時に回転した場合、４つのファンの回転が隣どうし互いに干渉せず、仮に歯車に置き換えてもスムーズに回転する様になる事から、４つのファンによって生成される空気の流れは、ファンの根本では４つの独立した渦となって図の前面方向に押し出される。そして、風が個々のファンから離れた所で隣のファンによる渦が同じ方向に動く事から互いにあまり干渉しない為、ファンの駆動部への負荷も少ない状態で風を生成する事ができる。この事は、ファン駆動部の強弱がそのまま遠くまで伝わりやすくなり、風の強弱をつけた状態のまま遠くまで風を送る事が可能となる。
【０００９】
５の回転制御部からの制御を６の制御線を介し、４つの個々のファンの回転速度を制御する事により、４つのファンのそれぞれの回転速度に強弱をつける事ができる。それを利用すると、場所によって風を弱めに当てたり、強めに当てたりする事が可能となる。ちなみに回転制御は、ファンを駆動する部分がＤＣモーターであれば電圧を変化させる事で実現できる。更に、個々のファンは逆回転させる事で風の向きが逆になる様にも動作する事から、回転速度だけでなく回転方向も制御する事で、更に多くの状態の風を生成する事が可能となる。また、５の回転制御部から個々のファンへの制御を時間的に変更する事によって、様々な異なる性質の風が時間の流れと共に変わる事でアクティブファンアレイも実現可能となる。
【００１０】
図２の動作としては、図１とほぼ同様に４つのファンが配置されているが、４つのファンは全て同じ時計回りに回転している。この場合は、互いに隣同士のファンは逆回転となり、互いに渦を打ち消す方向になる事から、個々のファン駆動部へｎ負荷は図１よりは高くなるが、ファンにより生成される風は、渦を巻かない自然に近い風が図の前面に向けて流れる事になる。そして、風が個々のファンから離れた所では隣のファンによる渦がぶつかり合う方向に動く事からエネルギーが平滑化し易く、仮に一つでも回転速度が遅いファンがあり弱い風が生成された場合でも、早いファンから送られた風が、その弱い風のエネルギーを補う様に強弱の差が薄められる事が実験で確かめられている。その為、個々のファンによる風力のムラが減り、図１の構成の物よりも一様な風を生成する事が可能となる。
【００１１】
更に、図１による構成と同様に、５の回転制御部によりそれぞれのファンの回転速度に強弱をつける事により、風を当てる対象物毎に風速の変化を付ける事が可能となる。この事は、図１よりもより届く距離は短くなり、風を届ける範囲に対して場所による変化は滑らかにはなるが、制御する事が可能となる。そして、時間と共にダイナミックに風の性質を変化させるアクティブファンアレイを実現する事が可能となる。
【００１２】
図３の動作としては、図１及び図２を応用した一実施例である。ここでは９つのファンを３×３に並べ、５の回転制御部と６の制御線によりファンの回転速度や回転方向をダイナミックに制御可能となっている。これは更に多くのファンを持つｎ×ｍ（ｎ、ｍは自然数）の四角形、あるいは同心円状に円形のファンアレイを配置する様にも構成できるものである。この最も単純な例としては複数のファンを個々に同じ方向に回転させると、隣同士のファンが互いの渦を抑圧する様に打ち消す事から、渦を巻かず、従来の扇風機の様なピンポイントから作り出される風とは別に、面的に平たんで場処理よる風力の差が少ない風を作り出す事ができる。この様な構成にすることで、従来の画一的な丸い扇風機というデザインだけでなく、畳や窓の様な大きさでも構成する事が可能となる。
【００１３】
図４は、更に別の応用例であり、ファンアレイを筒状に構成したものである。この様な構成にする事で、従来の扇風機であれば首振り機能により、涼を取る範囲を拡げていたが、そのままで３６０度の全方位に向けて風を吹かせる事が可能となる。また、更にこの応用例としては筒を蒲鉾形の半円にして、平面の部分を壁に向ける事で１８０度の全方向に風を吹かせる事も、容易にデザインする事ができる。
【００１４】
そして、図４の筒状のファンアレイでは、筒の上下を開放しているが、例えば上側に蓋をした状態で密封された部屋に置くと、ファンアレイから放射状に吹き出した風が部屋全体を回って筒の下に集まる様な流れが形成される。これを利用すると部屋の埃やゴミを集める効果があり、効率的な空気清浄機や掃除機等の応用が考えられる。逆に、筒の下を閉じる事により、筒の上に風が集まる様になり、集まった空気を乾燥させる機能を追加する事により乾燥機や除湿機としての機能も実現する事ができる。また、上述の説明では、ファンアレイからの風は放射状に外側に吹き出す事の応用例であるが、逆に吸込む事により密閉空間の空気を全方向から吸い出す装置への応用や、放射状に吹き出す風をダイナミックに５の回転制御部により変化させる事で、灯台の光が３６０度回転するのと同様に風の吹き出しを回転させる等アクティブファンアレイとしても実現可能となる。
【００１５】
図５は、半球状にファンアレイを配置した構造としており、図４とは別に電球から放射される光の様に、立体的に３次元の全方位に向けた風を作りだす事ができる。この実施例であれば、部屋の天井に向けた風も作る事ができるので、部屋の空気をかき混ぜる為のサーキュレーターとして機能させ、同時に図４の実施例でもあった様に、ある程度密閉された部屋であれば、吹き出された風が、半球の下に集まってくる事から、塵や湿気をフィルタで集める機能を追加する事により、空気清浄機や掃除機、あるいは乾燥機や除湿器としての機能も同時に実現する事が可能となる。
【００１６】
図６の７は空気を図の上から下に向けて反時計回りに回転しながら吸い込む大き目のファン、８は外の１や２の複数のファンが図の下から上に向けて吹き出す風が、直ぐには折り返らない様に防ぐ為のガードである。この動作としては、図６の円盤状のファンアレイの上方向に向けて、円盤の外側に円状に並んだ複数の１および２の小型のファンがそれぞれ時計回りや半時計回りに回転しながら、個々に渦状の風を図の下から上に吐出し、それがある程度の距離に届いた辺りから、円盤状の中心部にある大き目な７の吸込み用ファンに向けて折り返す動作をするものである。この場合、１及び２のファンは互いに渦を打ち消しづらい様に配置しているので、より遠くまでそれらの風が届く事になる。また、８のガードは、円盤状のファンアレイの外側と内側の風の流れが少しでも根本で干渉しない様にするものである。
【００１７】
更に、図６では記載していないが、外側に配置した複数の１または２のファンの吹き出す方向を半時計回りの方向に少し斜めにすると、吐き出された複数の渦の束が、７の大型ファンの回転方向と同じになる為、大型ファンに向けて折り返る空気の流れが、スムーズに渦を持ったまま竜巻状に吸込まれる動作が実現できる。そして、回転制御部によって、外側に配置した複数の１、２、そして７のファンの回転を５の回転制御部で制御する事で、吸い取るポイントまでの距離が制御できる様になる。更に複数のファンの回転面の角度まで機械的に制御できる機能を追加する事で、吸い込む方向の制御も同時に行う事も本発明の延長上で容易に考案できる。
【００１８】
上述の通り、ファンアレイによる様々な応用例は空気を対象として記載したが、水などの流体においても容易に応用が可能である。また、必ずしも回転制御部が独立した機能として具備していなくても、複数のファンが協同で統括的な動作を実現する事、そして実施例で示したファンの数や配置は目的とする機能において、柔軟に応用することが可能である。
【符号の説明】
【００１９】
１  時計回りに回転する事で図の前面に向けて空気を動かすファン
２  反時計回りに回転する事で図の前面に向けて空気を動かすファン
３  時計回りの回転方向
４  反時計回りの回転方向
５  それぞれのファンの回転速度や回転の向きを個々に制御する回転制御部
６  回転制御部の制御をそれぞれのファンに伝える制御線
７  空気を図の上から下に向けて反時計回りに回転しながら吸い込む大き目のファン
８  外側から吐出す風が、直ぐに内側に折り返らない様に防ぐ為のガード
【図１】
2020060151.tif 000003
【図２】
2020060151.tif 000004
【図３】
2020060151.tif 000005
【図４】
2020060151.tif 000006
【図５】
2020060151.tif 000007
【図６】
2020060151.tif 000008